【事件の表示】
　平成　５年特許願第１９２６５６号「弾球遊技機」拒絶査定不服審判事件〔平成　７年　２月２１日出願公開、特開平　７−　４７１６７〕について、次のとおり審決する。
【結　論】
　本件審判の請求は、成り立たない。
【理　由】
【１】手続の経緯・本願発明
　本願は、平成５年８月４日の出願であって、平成１３年１月１６日付けで拒絶査定がなされ、これに対し、同年２月２６日に拒絶査定に対する審判請求がなされるとともに、同年３月２８日付けで手続補正がなされた。
　本願の請求項１に係る発明は、特許請求の範囲の請求項１に記載された事項により特定される次のとおりのものと認める。
「遊技盤と賞球排出装置とを有する遊技機本体と、該遊技機本体の前面に開閉可能に取り付けた、打球供給皿を有する前扉とからなる弾球遊技機において、前記遊技機本体には、前扉の閉止時には、打球供給皿に連通し、賞球排出装置からの賞球を打球供給皿へ誘導する賞球排出口と、打球供給皿と連通し、打球供給皿からの球を遊技盤へ発射するための打球発射装置とを備え、前記前扉の開放時には、前記遊技機本体側の賞球排出口と前記前扉側の打球供給皿とが分離し、賞球排出口からの賞球を打球供給皿への誘導を不能とするとともに、前記前扉側の打球供給皿と前記遊技機本体側の打球発射装置とが分離し、打球供給皿からの打球を発射装置への誘導を不能とするようにした弾球遊技機であって、遊技機本体に、前扉の開閉を検知し、開放検知出力に基づいて、前扉の開放時において賞球排出装置による賞球排出及び打球発射装置による打球発射の双方を停止する開閉検知器を設けたことを特徴とする弾球遊技機。」（以下、「本願発明」という。）
　
【２】本願出願前の周知技術
「遊技盤と賞球排出装置とを有する遊技機本体と、該遊技機本体の前面に開閉可能に取り付けた、打球供給皿を有する前扉とからなる弾球遊技機において、前記遊技機本体には、前扉の閉止時には、打球供給皿に連通し、賞球排出装置からの賞球を打球供給皿へ誘導する賞球排出口と、打球供給皿と連通し、打球供給皿からの球を遊技盤へ発射するための打球発射装置とを備え、前記前扉の開放時には、前記遊技機本体側の賞球排出口と前記前扉側の打球供給皿とが分離し、前記前扉側の打球供給皿と前記遊技機本体側の打球発射装置とが分離する弾球遊技機。」は、特開昭６１−１９１３７７号公報（以下、「周知例１」という。）、実願昭４９−３１５号（実開昭５０−９５０７９号）のマイクロフィルム（以下、「周知例２」という。）等に示すように周知技術（以下「周知技術」という。）であると認められる。
　
（１）周知例１には図面と共に以下の記載がある。
イ．特許請求の範囲第１項「遊技盤と、この遊技盤を着脱自在に収容する開口部および景品球の通路を形成するための樋の一部を備えた一体成型品からなる機枠と、この機枠の表面側に開閉自在に軸着され、前面ガラスを保持する保持部および景品球を排出するための開口を備えた一体成形品からなるガラス枠（当審注：本願発明の「前扉」に相当）とから構成されたことを特徴とするパチンコ機（当審注：本願発明の「弾球遊技機」に相当）。」
ロ．２頁右上欄第２０行〜同頁左下欄８行「機枠３に設けられた発射装置１０（当審注：本願発明の「打球発射装置」に相当）から打ち出されたパチンコ球を、遊技盤２の盤面２ａに案内する。さらに、ガラス枠１の前面下方には、景品球の排出口１１が形成されるとともに、上皿１２（当審注：本願発明の「打球供給皿」に相当）を固定するための取り付け部１４が設けられている。なお、排出口１１には樋１５が挿入、固定される。また、上皿１２には球送り部１６が一体化されており、上皿１２に貯えられているパチンコ球を１個づつ導入口１７に送り込む。」
ハ．３頁左上欄１７行〜同頁右上欄１５行「機枠３の背面には、景品球を貯留するタンク５２と、タンク５２から樋４８あるいは樋４９にパチンコ球を案内する通路５３が取り付けられる。…セーフ球検出器２４が一個のセーフ球を検出した時に、一定個数のパチンコ球を計数して送り出す計数送り部５６（当審注：本願発明の「賞球排出装置」に相当）が取り付けられている。そして、パチンコゲームが行われる過程でセーフ球が生ずるたびに、計数送り部５６は一定個数の景品球を樋４８およびカバー５０で画定された景品球排出路に送り出す。景品球排出路に送り出された景品球は、鈴５８に衝突してこれを発音させた後、開口部３０（当審注：本願発明の「賞球排出口」に相当）に至る。そして上皿１２に余裕があれば、景品球はガラス枠１に取り付けられた樋１５、排出口１１を介して上皿１２に払い出され、上皿１２が満杯になっていると、樋１５に達する以前にガイド板３７に落下する。」　
　そして、第１図をみると、ガラス枠１（本願発明の「前扉」に相当）の開放時には、遊技盤２と計数送り部５６（同「賞球排出装置」）とを有する遊技機本体側の開口部３０（同「賞球排出口」）と前記ガラス枠１（同「前扉」）側の上皿１２（同「打球供給皿」）とが分離し、前記ガラス枠１（同「前扉」）側の上皿１２（同「打球供給皿」）と前記遊技機本体側の発射装置１０（同「打球発射装置」）とが分離することは明らかである。
　
（２）周知例２には図面と共に以下の記載がある。
イ．実用新案登録請求の範囲「周縁内方に係合条片を突設した枠板の上方部へ遊技盤面が露呈するように透窓を設け、この透窓内周面にはガラス嵌合溝を固設してガラス保持部を形成すると共に枠板下方部には球受皿（当審注：本願発明の「打球供給皿」に相当）の取付部を一体に連設形成してなる打球自動供給用パチンコ機（当審注：本願発明の「弾球遊技機」に相当）に於ける遊技盤前面の開閉扉（当審注：本願発明の「前扉」に相当）。」
ロ．明細書１頁２０行〜２頁５行「従来打球自動供給用パチンコ機に於いては、遊技盤を露呈せしめるガラス扉枠と、打球供給用球受皿を装着した表面板を分離して形成し、ガラス扉枠の下側で表面板上縁を係止して互いに開放されないように遊技盤前面に装着されている。」
ハ．同２頁１４行〜３頁３行「周縁内方に係合条片１を突設した枠板２の上方部へ遊技盤３面が露呈するように透窓４を設け、…ガラス保持部イを形成すると共に枠板２下方部には景品球の流入口７と打球定間歇供給機構８と連通する流出口９を穿設してなる打球供給用球受皿１０の取付部ロを前記ガラス保持部イと一体に連設して開閉扉Ａを形成してなるものである。」
ニ．同３頁４〜８行「本考案は…開閉扉Ａの係合条片１をパチンコ機の前面枠１１透窓周縁に装着した縁枠１２の係止溝１３に係合し一側上下端で開閉自在に軸支して遊技盤前面に装着する。」
ホ．同３頁９〜１７行「従って遊技盤面を露呈せしめるガラス保持部イと、打球供給用球受皿１０の取付部ロが分離することなく一体に形成されているために遊技中に打球定間歇供給機構８に故障が生じた場合にも開閉扉Ａを開放するのみで打球定間歇供給機構８が露呈されるので、簡易且迅速に修理、交換作業を行うことができ、従来のように一旦ガラス扉を開放しその后に表面板を開放するような面倒な操作を一切必要としない。」
　そして、遊技盤３と景品球排出装置（本願発明の「賞球排出装置」に相当）とを有する遊技機本体、及び前扉Ａの閉止時には、打球供給用球受皿１０、流入口７と連通する遊技機本体の景品球排出口を有することは当業者に自明な事項であり、打球定間歇供給機構８は開閉扉Ａを開放すると露呈すると記載され、第３図をみると、遊技盤３に接するものであるから、打球発射装置は遊技機本体側にあることは当業者に自明であり、第２図をみると、開閉扉Ａ（本願発明の「前扉」に相当）の開放時には、遊技機本体側の景品球排出口（同「賞球排出口」）と前記開閉扉Ａ（同「前扉」）側の打球供給用球受皿１０（同「打球供給皿」）とが分離し、前記開閉扉Ａ（同「前扉」）側の打球供給用球受皿１０（同「打球供給皿」）と前記遊技機本体側の打球発射装置とが分離することは明らかである。　
　
【３】本願出願前に頒布された刊行物
（１）査定時の拒絶の理由に引用された特公昭３８−２４７９号公報（以下「刊行物１」という。）には図面と共に以下の記載がある。
イ．特許請求の範囲「前記目的に於て前面扉を排出景品球の通路の一部に利用する型のパチンコ遊技機に於て前面扉と有効球制御器の間に可動片を設け、平常はこれが前面扉に押されて有効球制御器を自由に解放し、前面扉を開くと後退して有効球制御器の自由を阻止するような安全装置を有することを特徴とする構成。」　
ロ．１頁「発明の詳細な説明」１９行〜同頁右欄２１行「７は景品球ケースであつて遊技者に見易いように遊技盤の窓８に設置され、…これから排出される景品球は前面の硝子板（以下前面扉という）の内側に沿うて流下するようになつている。…ここに両硝子板の間隙へ通ずる景品球入口９が形成されていてここに排出される景品球は二重扉の内部間隙を通路として流下し下方の出口１０から前面景品皿１１に至る。次に第３図に於て１２は有効球制御器であり、これは周知のように集合樋１３に集められた有効球を１個宛処理して以下の機構を有効球の重力を利用して作動し景品球ケース７の開閉を行う原動部であるから支点１４に於て常に有効球を待つ自由な状態に保持されている。但しこの自由は前面扉を閉じた遊技可能の場合であつて若しこのまま前面扉を開いたとすれば次に述べるような不都合を生ずる。…前面扉を開いて有効球を遊技面のチヤツカー５に投入することが度々あつてこの場合も有効球制御器が自由であれば、遊技中と同じく有効球制御器が作動し続いて景品球ケースが開かれて開放中の遊技盤前面に景品球を放出し球を機外へ散乱するおそれがある。本発明はこの欠点を除去するものであつて…前面扉１と有効球制御器１２の間に於て遊技盤３の案内孔１５に可動片１６を緩挿し、これをバネ１７で外方へ引付けると共に内端に屈曲部１８があつて前面扉を閉じた状態では扉に押えられて有効球制御器１２に触れないが前面扉を開いたときは扉から解放されてバネの力で後退し有効球制御器と係合し該制御器の自由を阻止するようになつている。従つてこの安全装置を備えた遊技機は前面扉を開いている間は有効球があつても景品球を排出するおそれなく、…容易となつた。」
　
（２）査定時の拒絶の理由に引用された実願昭５６−１３７００６号（実開昭５８−４３４９０号）のマイクロフィルム（以下「刊行物２」という。）には図面と共に以下の記載がある。
イ．実用新案登録請求の範囲第１項「ガラス枠の下端縁より下方に配設される前飾り板を有し、該前飾り板の前面側には球受皿が、裏面側には打球供給装置の球入口と連通する開口部が夫々形成され、前記開口部には弁体を有する弁機構が配設され、前記ガラス枠の開状態に基づき前記弁体が前記開口部を閉状態に保つと共に、操作ハンドル部の打球力調節レバーを回動した状態で、前記打球供給装置を不能動化手段により不能動化させる事を特徴とする弾球遊技機における打球停止装置。」
ロ．２頁１２〜１９行「この種弾球遊技機の打球停止装置としては、…実公昭５４−３９０１４号…が存在し、ガラス枠の開状態を感知して前飾り板の開口部をシャッター弁の閉塞弁部で閉塞し、前飾り板を開いて修理点検等を行う場合に、前記球受皿に貯留されている打球が開口部より飛散しないように構成されたストッパー装置が知られている。」
ハ．４頁８〜１４行「前飾り板（４）の前面側には上部球受皿（７）が取付けられ、この上部球受皿（７）は第１図で見て右下がりに傾斜し、打球を一列に並べ且つ前飾り板（４）の開口部（８）を介して裏面側と連通し、上部球受皿（７）内の打球が前飾り板（４）裏面側に配設された打球供給装置（１１）の球入口（１２）に供給されるようになされている。」
ニ．６頁１２行〜７頁４行「操作部（２６）の上部には前飾り板（４）の上端縁より上方に突出する突出片（３９）が形成され、この突出片（３９）が…ガラス枠（３）の裏面側の下端縁により押圧され、ガラス枠（３）が前面枠（２）に対して閉状態を保っている場合には、操作部（２６）の下部の押上げ弁部（３５）が係合片（３３）を前記トーションスプリング（３７）の付勢に逆らって上方に移動させ、弁体（２５）を突出ピン（２４）を中心に回動させ、弁体（２５）の弁部（３１）を上方に移動させ、前飾り板（４）の開口部（８）を開状態に保持している。前記弁体（２５）の取付部（３２）側に打球供給装置（１１）の不能動化手段（４１）が設けられている。」
ホ．１０頁８行〜１１頁７行「第４図に鎖線で示す如くガラス枠（３）が開かれた場合には、…操作部（２６）の突出片（３９）がトーションスプリング（３７）の付勢により反時計方向に回動し、弁体（２５）の弁部（３１）が第６図に示す如く前飾り板（４）の開口部（８）を閉塞する方向に回動する。……打球供給装置本体（５１）の球出口（５４）に待機している打球が球送り片（５８）により打球発射位置に送り出される事がない。」
ヘ．１１頁１８行〜１３頁１６行「第８図Ａ及びＢには打球供給装置（１１）の不能動化手段の異なる実施例が示されており、この不能動化手段（７１）は打球杆（１５）を反復回動させる打球モータを、前記ガラス枠（３）を開状態とする事により停止させ、回動腕（５６）の反復回動を停止させる事により打球供給装置本体（５１）の球出口（５４）に待機している打球を球送り片（５８）により打球発射位置に送り出す事がないように構成されている事を除いては前述せる実施例と同様の構成を有するものである。即ち、第８図Ａに示す不能動化手段（７１）はガラス枠（３）の側縁後方と対向する位置にマイクロスイッチ（７２）の感知片（７３）を突出配設し、該マイクロスイッチ（７２）を図示しない電源と打球モータとの接続回路中に直列に接続し、ガラス枠（３）の裏面側の側縁で前記マイクロスイッチ（７２）の感知片（７３）が押圧されている場合にマイクロスイッチ（７２）がオン状態にあり、またガラス枠（３）が開状態となり、前記マイクロスイッチ（７２）の感知片（７３）の押圧が解除された場合に、マイクロスイッチ（７２）がオフ状態にあるように構成されている。また第８図Ｂには、前記マイクロスイッチ（７２）がガラス枠（３）の下端縁後方と対向する位置に配設されたものが示されているが、マイクロスイッチ（７２）の配設位置は何れであってもよく、要はガラス枠（３）の開状態を感知して、打球力調節レバー（１４）の回動にかかわらず、打球モータを停止し得る構成であればよい。斯る構成に依れば、前述と同様に操作ハンドル部の打球力調節レバーを所望の位置に固定し、或は継続して保持する場合に、打球供給装置内の打球が打球モータの停止により遊技盤面に打ち込まれる事がなく、遊技者が打球力の調節状態を好みの状態に保持したまま、ガラス枠及び前飾り板を開いて修理、点検作業を行え、…打球停止装置を得る事が出来る。」
　
【４】対比・判断
（１）本願発明と上記周知技術を対比すると、両者は、「遊技盤と賞球排出装置とを有する遊技機本体と、該遊技機本体の前面に開閉可能に取り付けた、打球供給皿を有する前扉とからなる弾球遊技機において、前記遊技機本体には、前扉の閉止時には、打球供給皿に連通し、賞球排出装置からの賞球を打球供給皿へ誘導する賞球排出口と、打球供給皿と連通し、打球供給皿からの球を遊技盤へ発射するための打球発射装置とを備え、前記前扉の開放時には、前記遊技機本体側の賞球排出口と前記前扉側の打球供給皿とが分離し、前記前扉側の打球供給皿と前記遊技機本体側の打球発射装置とが分離する弾球遊技機。」である点で一致し、以下の点で相違している。
　
［相違点１]
　前扉の開放時には、本願発明は、賞球排出口からの賞球を打球供給皿への誘導を不能とするとともに、打球供給皿からの打球を発射装置への誘導を不能とするようにしたのに対し、上記周知技術はそのような構成を有さない点。［相違点２]本願発明は、遊技機本体に、前扉の開閉を検知し、開放検知出力に基づいて、前扉の開放時において賞球排出装置による賞球排出及び打球発射装置による打球発射の双方を停止する開閉検知器を設けたのに対し、上記周知技術はそのような構成を有さない点。
　
（２）上記相違点について検討する。
［相違点１]について
　刊行物１には、前面扉１の開放時には、景品球（本願発明の「賞球」に相当）がこぼれ落ちることがないように、安全装置により、賞品球ケース７（本願発明の「賞球排出装置」に相当）を閉とし、出口１０からの景品球を前面景品皿１１（本願発明の「打球供給皿」に相当）へ排出するおそれがない（本願発明の「誘導を不能とする」に相当）点が記載されており、また、刊行物２には、ガラス枠（３）の開放時には、上部球受皿（７）（本願発明の「打球供給皿」に相当）からの打球を前飾り板（４）の開口部（８）を弁部（３１）により閉塞し、打球供給装置（１１）、打球発射位置へ送り出さない（本願発明の「発射装置への誘導不能」に相当）点が記載されており、扉を開放した際に、球がこぼれ落ちないように誘導不能とすることは、周知の技術的事項である（刊行物１、２等参照）から、上記周知技術の前扉の開放時に賞球、打球を誘導不能とするために、刊行物１、２記載の発明を適用することに何ら困難性はなく、相違点１に係る本願発明の構成とすることは、当業者が容易に想到する事項にすぎない。
［相違点２]について
　刊行物１には、前面扉１が開くことに基づいて安全装置が作動し、前面扉１の開放時において賞品球ケース７（本願発明の「賞球排出装置」に相当）による景品球を排出するおそれがない（本願発明の「賞球排出を停止」に相当）点が記載されており、刊行物２には、ガラス枠（３）の開閉を感知（本願発明の「検知」に相当）し、開状態によりマイクロスイッチ（７２）（本願発明の「開閉検知器」に相当）がオフ状態となり、打球杆（１５）を反復回動させる打球モータを停止（本願発明の「開閉を検知し、開放検知出力に基づいて、打球発射装置による打球発射を停止」に相当）させる点が記載されており、また、賞球排出装置による賞球排出及び打球発射装置による打球発射の双方を停止する開閉検知器とすること、及び開閉検知装置を遊技機本体に設けることは、上記周知技術に刊行物１、２記載の発明を適用する際の単なる設計事項にすぎず、相違点２に係る本願発明の構成とすることは、当業者が容易に想到する事項にすぎない。
　そして、本願発明が奏する作用効果も上記周知技術及び、刊行物１、２記載の発明から当業者が予測し得る範囲を超えるような格別なものではない。
　
【３】むすび
　以上のように、本願発明は、周知技術及び、刊行物１、２記載の発明に基づいて当業者が容易に発明をすることができたものであるから、特許法第２９条第２項の規定により特許を受けることができないものであり、本願は拒絶すべきものである。
　
　よって、結論のとおり審決する。